(57)【要約】【課題】太陽光発電コネクターを提供する。【解決手段】第一接続体及び第二接続体を備え、第一接続体は、第一接続座と、第一ケーブルと、第一絶縁座とで構成され、第二接続体は、第二接続座と、第二ケーブルと、第二絶縁座とで構成される。第一絶縁座の端面には円柱形のプラグが成型され、第二絶縁座の端面には延伸される円柱形のソケットが成型され、プラグの外壁には環状の第一凹部が成型され、第一凹部内には円弧形の若干の弾性板が設置され、弾性板の二端は第一凹部の二端面内に固定される。前記ソケットの外壁は環状を呈する第二凹部を有し、第二凹部の底面にはソケットを貫通させる若干のスロットが成型され、第二凹部の側壁には環状の螺合カバーが挿設され、螺合カバーの内壁にはＬ字型の若干のスプリングボルトが成型される。【選択図】図２
2017091670.tif 000002
【特許請求の範囲】
【請求項１】
第一接続体及び第二接続体を備え、第一接続体は、第一接続座と、第一ケーブルと、第一絶縁座とで構成され、第二接続体は、第二接続座と、第二ケーブルと、第二絶縁座とで構成され、第一絶縁座の端面には円柱形のプラグが成型され、第二絶縁座の端面には延伸される円柱形のソケットが成型され、プラグの外壁には環状の第一凹部が成型され、第一凹部内には円弧形の若干の弾性板が設置され、弾性板の二端は第一凹部の二端面内に固定され、前記ソケットの外壁には環状を呈する第二凹部を有し、第二凹部の底面にはソケットを貫通させる若干のスロットが成型され、第二凹部の側壁には環状の螺合カバーが挿設され、螺合カバーの内壁にはＬ字型の若干のスプリングボルトが成型され、第一絶縁座のプラグは第二絶縁座のソケット内に挿設され、プラグの弾性板はソケットのスロット内に挿設されると共に第二凹部の底面に露出され、螺合カバーのスプリングボルトは第二凹部の底面の外側の弾性板内に挿設される、ことを特徴とする太陽光発電コネクター。
【請求項２】
前記弾性板或いはスロットは第一絶縁座のプラグもしくは第二絶縁座のソケットに環状に均一に分布され、弾性板及びスロットの個数は同じである、ことを特徴とする請求項１記載の太陽光発電コネクター。
【請求項３】
前記第一ケーブルの端部には露出される第一ケーブルヘッドが成型され、第一ケーブルヘッドには銅挿管が挿着されて固定され、銅挿管及び第一ケーブルヘッドは第一絶縁座内に挿設されて固定され、第二ケーブルの端部には露出される第二ケーブルヘッドが成型され、第二ケーブルヘッドには銅管が挿着されて固定され、銅管は銅挿管内に挿設される、ことを特徴とする請求項１記載の太陽光発電コネクター。
【請求項４】
前記ソケットの底部の内壁にはシ−ルリングが嵌められ、プラグのヘッド部はシ−ルリング内に挿設される、ことを特徴とする請求項１記載の太陽光発電コネクター。
【請求項５】
前記螺合カバーの外壁には若干の滑り止め片が成型され、滑り止め片は螺合カバーに環状に均一に分布され、螺合カバーのスプリングボルトの下端は円弧形を呈し、スプリングボルトの下端の円弧の弧度はソケットの隣接するスロットの間の弧度よりも小さい、ことを特徴とする請求項１記載の太陽光発電コネクター。
【発明の詳細な説明】
【技術分野】
【０００１】
本発明は、電気コネクターの技術分野に関し、より詳しくは、太陽光発電に応用されるコネクターに関する。
【背景技術】
【０００２】
社会の発展及び科学技術の進歩に伴い、環境保護に適うクリーンエネルギーが人々の注目を集めており、太陽光発電は環境保護に役立ち、且つ無尽蔵の新たなエネルギーとして重視され始めている。太陽光発電パネルはよくある太陽エネルギーを転換させる装置であり、太陽光発電パネルの使用過程ではコネクターに対しての要求が高く、高い電気的接続を有し、緊密性、密封性及び堅牢性が求められている。
【発明の概要】
【発明が解決しようとする課題】
【０００３】
本発明は、このような従来の問題に鑑みてなされたものである。上記課題解決のため、本発明は、新規性を有するコネクター構成の太陽光発電コネクターを提供することを主目的とする。接続が便利になるのみならず、接続後に高い電気的接続を有し、緊密で、密封性及び堅牢性も有する
【課題を解決するための手段】
【０００４】
上述した課題を解決し、目的を達成するために、本発明に係る太陽光発電コネクターは、第一接続体及び第二接続体を備え、第一接続体は、第一接続座と、第一ケーブルと、第一絶縁座で構成され、第二接続体は、第二接続座と、第二ケーブルと、第二絶縁座とを含む。第一絶縁座の端面には円柱形のプラグが成型され、第二絶縁座の端面には延伸される円柱形のソケットが成型され、プラグの外壁には環状の第一凹部が成型され、第一凹部内には円弧形の若干の弾性板が設けられ、弾性板の二端は第一凹部の二端面内に固定される。
【０００５】
また、前記ソケットの外壁には環状を呈する第二凹部を有し、第二凹部の底面にはソケットを貫通させる若干のスロットが成型され、第二凹部の側壁には環状の螺合カバーが挿設され、螺合カバーの内壁にはＬ字型の若干のスプリングボルトが成型される。第一絶縁座のプラグは第二絶縁座のソケット内に挿設され、プラグの弾性板はソケットのスロット内に挿設されると共に第二凹部の底面に露出され、螺合カバーのスプリングボルトは第二凹部の底面の外側の弾性板内に挿設される。
【０００６】
前記弾性板或いはスロットは第一絶縁座のプラグもしくは第二絶縁座のソケットに環状に均一に分布され、弾性板及びスロットの個数は同じである。
【０００７】
前記第一ケーブルの端部には露出される第一ケーブルヘッドが成型され、第一ケーブルヘッドには銅挿管が挿着されて固定され、銅挿管及び第一ケーブルヘッドは第一絶縁座内に挿設されて固定され、第二ケーブルの端部には露出される第二ケーブルヘッドが成型され、第二ケーブルヘッドには銅管が挿着されて固定され、銅管は銅挿管内に挿設される。
【０００８】
前記ソケットの底部の内壁にはシ−ルリングが嵌められ、プラグのヘッド部はシ−ルリング内に挿設される。
【０００９】
前記螺合カバーの外壁には若干の滑り止め片が成型され、滑り止め片は螺合カバーに環状に均一に分布され、螺合カバーのスプリングボルトの下端は円弧形を呈し、スプリングボルトの下端の円弧の弧度はソケットの隣接するスロットの間の弧度よりも小さい。
【発明の効果】
【００１０】
本発明によれば、接続が便利になるのみならず、接続後に高い電気的接続を有し、緊密で、密封性及び堅牢性も有する。
【図面の簡単な説明】
【００１１】
【図１】本発明の第一接続体及び第二接続体の接続を示す概念図である。
【図２】本発明の第一接続体及び第二接続体の接続を示す断面図である。
【図３】本発明の第一接続体構成を示す概念図である。
【図４】本発明の第一接続体を示す断面概念図である。
【図５】本発明の第二接続体構成を示す概念図である。
【図６】本発明の第二接続体を示す断面概念図である。
【図７】本発明の螺合カバ−構成を示す概念図である。
【発明を実施するための形態】
【００１２】
以下に図面を参照して、本発明を実施するための形態について、詳細に説明する。なお、本発明は、以下に説明する実施形態に限定されるものではない。
【００１３】
以下、本発明の実施形態を図１〜７に基づいて説明する。太陽光発電に応用されるコネクターは、第一接続体１及び第二接続体２を備え、第一接続体１は、第一接続座１１と、第一ケーブル１２と、第一絶縁座１３とで構成され、第二接続体２は、第二接続座２１と、第二ケーブル２２と、第二絶縁座２３とで構成される。第一絶縁座１３の端面には円柱形のプラグ１３１が成型され、第二絶縁座２３の端面には延伸される円柱形のソケット２３１が成型され、プラグ１３１の外壁には環状の第一凹部１３１１が成型され、第一凹部１３１１内には円弧形の若干の弾性板１５が設置され、弾性板１５の二端は第一凹部１３１１の二端面内に固定される（図１から図７参照）。
【００１４】
前記ソケット２３１の外壁には環状を呈する第二凹部２３１１を有し、第二凹部２３１１の底面にはソケット２３１を貫通させる若干のスロット２３１２が成型され、第二凹部２３１１の側壁には環状の螺合カバー２５が挿設され、螺合カバー２５の内壁にはＬ字型の若干のスプリングボルト２５１が成型される。
【００１５】
第一絶縁座１３のプラグ１３１は第二絶縁座２３のソケット２３１内に挿設され、プラグ１３１の弾性板１５はソケット２３１のスロット２３１２内に挿設されると共に第二凹部２３１１の底面に露出され、螺合カバー２５のスプリングボルト２５１は第二凹部２３１１の底面の外側の弾性板１５内に挿設される。
【００１６】
前記弾性板１５或いはスロット２３１２は第一絶縁座１３のプラグ１３１もしくは第二絶縁座２３のソケット２３１に環状に均一に分布され、弾性板１５及びスロット２３１２の個数は同じである。
【００１７】
また、前記第一ケーブル１２の端部には露出される第一ケーブルヘッド１２１が成型され、第一ケーブルヘッド１２１には銅挿管１４が挿着されて固定され、銅挿管１４及び第一ケーブルヘッド１２１は第一絶縁座１３内に挿設されて固定される。第二ケーブル２２の端部には露出される第二ケーブルヘッド２２１が成型され、第二ケーブルヘッド２２１には銅管２４が挿着されて固定され、銅管２４は銅挿管１４内に挿設される。
【００１８】
前記ソケット２３１の底部の内壁にはシ−ルリング２６が嵌められ、プラグ１３１のヘッド部はシ−ルリング２６内に挿設される。なお、前記螺合カバー２５の外壁には若干の滑り止め片２５２が成型され、滑り止め片２５２は螺合カバー２５に環状に均一に分布され、螺合カバー２５のスプリングボルト２５１の下端は円弧形を呈し、スプリングボルト２５１の下端の円弧の弧度はソケット２３１の隣接するスロット２３１２の間の弧度よりも小さい。
【００１９】
以下に動作原理を説明する。
本発明の太陽光発電コネクターは第一接続体１及び第二接続体２で構成され、使用において、第一接続体１のプラグ１３１が第二接続体２のソケット２３１内に挿設され、同時にプラグ１３１の弾性板１５が圧迫されて変形してソケット２３１の内壁に当接されてプラグ１３１内に進入する。その後、弾性板１５がソケット２３１のスロット２３１２内に進入して本来の形状を回復させ、これにより、第一接続体１及び第二接続体２の接続が完成する。このように、接続が便利であり、また、銅管２４が銅挿管１４内に挿設されるため、接続が緊密になる。さらには、プラグ１３１のヘッド部がソケット２３１のシ−ルリング２６内に挿設されるため、密封効果を有する。第一接続体１及び第二接続体２を切り離すには、直接伐出するのみでよい。
【００２０】
第一接続体１及び第二接続体２の接続強度を強化させ、螺合カバー２５を回転可能にさせるため、螺合カバー２５のスプリングボルト２５１が弾性板１５内に挿設される。これにより、第一接続体１と第二接続体２との間が互いに拔出されるのを防止され、コネクターの接続が高い堅牢性を有する。
【００２１】
なお、本発明は前述した実施の形態のみに限定されるものではなく、本発明の要旨を逸脱しない範囲において種々の変更が可能であることは勿論である。
【符号の説明】
【００２２】
(1) 第一接続体
(11) 第一接続座
(12) 第一ケーブル
(121) 第一ケーブルヘッド
(13) 第一絶縁座
(131) プラグ
(1311) 第一凹部
(14) 銅挿管
(15) 弾性板
(2) 第二接続体
(21) 第二接続座
(22) 第二ケーブル
(221) 第二ケーブルヘッド
(23) 第二絶縁座
(231) 円柱形のソケット
(2311) 第二凹部
(2312) スロット
(24) 銅管
(25) 螺合カバー
(251) スプリングボルト
(252) 滑り止め片
(26) シ−ルリング
【図１】
2017091670.tif 000003
【図２】
2017091670.tif 000004
【図３】
2017091670.tif 000005
【図４】
2017091670.tif 000006
【図５】
2017091670.tif 000007
【図６】
2017091670.tif 000008
【図７】
2017091670.tif 000009